(57)【要約】　　　（修正有）【課題】電圧切換回路および電圧レベル検出回路を利用してファンモーターの回転数を変換することにより、供給された電源電圧の範囲および必要とする回転数に基づいて直流ブラシレスファンモーターの回転数の特性の範囲を決めることができる直流ブラシレスファンモーターの回転数制御回路を提供しようとするものである。【解決手段】電圧切換回路１１および電圧レベル検出回路１２により構成される回転数制御回路１０である。電圧切換回路は電源電圧をモーター駆動回路の高、低駆動電圧まで出力するのを制御するのに用いられ、電圧レベル検出回路は高、低入力電源電圧に基づいて電圧切換回路が切換して高、低駆動電圧をモーター駆動回路まで出力するのを制御して作動することができるため、ファンモーターは入力された異なる電源電圧により回転数の変換を行うことができるように構成されている。【選択図】　　図１
0003099650.tif 000002
【実用新案登録請求の範囲】
【請求項１】
　電圧切換回路（１１）および電圧レベル検出回路（１２）により構成される直流ブラシレスファンモーターの回転数制御回路の回転数制御回路（１０）であって、電圧切換回路（１１）は電源電圧をモーター駆動回路（１）の高、低駆動電圧まで出力するのを制御するのに用いられ、電圧レベル検出回路（１２）は高、低入力電源電圧に基づいて電圧切換回路（１１）が切換して高、低駆動電圧をモーター駆動回路（１）まで出力するのを制御して作動することができ、電圧レベル検出回路（１２）は入力電源電圧が高電圧であることを検出した時、電圧切換回路（１１）は直接高駆動電圧をモーター駆動回路（１）まで出力することにより、モーターの回転数は高速の状態に形成され、そして電圧レベル検出回路（１２）が入力電源電圧は低電圧であることを検出した時、入力電源電圧は電圧切換回路（１１）の切換により低駆動電圧をモーター駆動回路（１）まで出力することにより、モーターの回転数は低速の状態に形成されることを特徴とする直流ブラシレスファンモーターの回転数制御回路。
【請求項２】
　回転数制御回路（１０）は単相直流ブラシレスファンのモーター駆動回路（１）に応用されることを特徴とする請求項１記載の直流ブラシレスファンモーターの回転数制御回路。
【請求項３】
　回転数制御回路（１０）には第一トランジスタ（Ｑ２）、第一抵抗（Ｒ３）、レベル抵抗（Ｒ４）により電圧切換回路（１１）が構成され、回転数制御回路（１０）には他に第二トランジスタ（Ｑ３）、第二抵抗（Ｒ５）、第三抵抗（Ｒ６）により電圧レベル検出回路（１２）が構成され、第二トランジスタ（Ｑ３）が導通された時、第一トランジスタ（Ｑ２）は導通されることにより、電源電圧は第一トランジスタ（Ｑ２）を経て高駆動電圧をモーター駆動回路（１）まで出力されるため、モーターの回転数は高速の状態に形成され、そして第二トランジスタ（Ｑ３）が遮断された時、第一トランジスタ（Ｑ２）は遮断されることにより、電源電圧はレベル抵抗（Ｒ４）を経て降圧されてから低駆動電圧をモーター駆動回路（１）まで出力されるため、モーターの回転数は高速の状態に形成されることを特徴とする請求項２記載の直流ブラシレスファンモーターの回転数制御回路。
【請求項４】
　回転数制御回路（１０）には第一トランジスタ（Ｑ２）、第一抵抗（Ｒ３）および複数個のダイオード（Ｄ１）から（ＤＮ）により電圧切換回路（１１）が構成され、回転数制御回路（１０）には他に第二トランジスタ（Ｑ３）、第二抵抗（Ｒ５）、第三抵抗（Ｒ６）により電圧レベル検出回路（１２）が構成され、第二トランジスタ（Ｑ３）が導通された時、第一トランジスタ（Ｑ２）は導通されることにより、電源電圧は第一トランジスタ（Ｑ２）を経て高駆動電圧をモーター駆動回路（１）まで出力されるため、モーターの回転数は高速の状態に形成され、そして第二トランジスタ（Ｑ３）が遮断された時、第一トランジスタ（Ｑ２）は遮断されることにより、電源電圧はダイオード（Ｄ１）から（ＤＮ）のレベル抵抗（Ｒｘ）を経て降圧されてから低駆動電圧をモーター駆動回路（１）まで出力されるため、モーターの回転数は高速の状態に形成されることを特徴とする請求項２記載の直流ブラシレスファンモーターの回転数制御回路。
【請求項５】
　第二抵抗（Ｒ５）と第三抵抗（Ｒ６）により分圧回路が構成され、電源電圧が予定のレベルまで昇圧された時、第二トランジスタ（Ｑ３）を導通することにより第一トランジスタ（Ｑ２）が導通するのを切り換え、そして電源電圧が予定のレベルまで降圧された時、第二トランジスタ（Ｑ３）を遮断することにより第一トランジスタ（Ｑ２）が遮断するのを切り換えることを特徴とする請求項３または４記載の直流ブラシレスファンモーターの回転数制御回路。
【請求項６】
　回転数制御回路（１０）は二相直流ブラシレスファンのモーター駆動回路（１）に応用されることを特徴とする請求項１記載の直流ブラシレスファンモーターの回転数制御回路。
【請求項７】
　回転数制御回路（１０）には電圧切換回路（１１）としてトランジスタ（Ｑ２）、レベル抵抗（Ｒ４）が含まれ、回転数制御回路（１０）には他に第二抵抗（Ｒ５）および第三抵抗（Ｒ６）により電圧レベル検出回路（１２）が構成され、トランジスタ（Ｑ２）が遮断された時、モーター駆動回路（１）のホール駆動素子（ＩＣ３）はレベル抵抗（Ｒ４）を経て降圧されてから接地するように形成され、モーター駆動回路（１）によりモーターの回転数は低速の状態に形成され、そしてトランジスタ（Ｑ２）が導通された時、ホール駆動素子（ＩＣ３）はトランジスタ（Ｑ２）のコレクターとエミッターを経てから接地するように形成され、モーター駆動回路（１）によりモーターの回転数は高速の状態に形成されることを特徴とする請求項６記載の直流ブラシレスファンモーターの回転数制御回路。
【請求項８】
　回転数制御回路（１０）にはトランジスタ（Ｑ２）および複数個のダイオード（Ｄ１）から（ＤＮ）により電圧切換回路（１１）が構成され、回転数制御回路（１０）には他に第二抵抗（Ｒ５）、第三抵抗（Ｒ６）により電圧レベル検出回路（１２）が構成され、トランジスタ（Ｑ２）が遮断された時、モーター駆動回路（１）のホール駆動素子（ＩＣ３）が（Ｄ１）から（ＤＮ）のレベル抵抗（Ｒｘ）を経て降圧されてから接地するように形成され、モーター駆動回路（１）によりモーターの回転数は低速の状態に形成され、そしてトランジスタ（Ｑ２）が導通された時、ホール駆動素子（ＩＣ３）はトランジスタ（Ｑ２）のコレクターとエミッターを経てから接地するように形成され、モーター駆動回路（１）によりモーターの回転数は高速の状態に形成されることを特徴とする請求項６記載の直流ブラシレスファンモーターの回転数制御回路。
【請求項９】
　第二抵抗（Ｒ５）と第三抵抗（Ｒ６）により分圧回路が構成され、電源電圧が予定のレベルまで昇圧された時、上記分圧回路によりトランジスタ（Ｑ２）は導通されることにより、ホール駆動素子（ＩＣ３）はトランジスタ（Ｑ２）を経て接地するように形成され、そして電源電圧が予定のレベルまで降圧された時、上記分圧回路によりトランジスタ（Ｑ２）は遮断されることにより、ホール駆動素子（ＩＣ３）はレベル抵抗（Ｒ４）を経て降圧されてから接地するように形成されることを特徴とする請求項７または８記載の直流ブラシレスファンモーターの回転数制御回路。
【考案の詳細な説明】
【技術分野】
【０００１】
　本考案は、直流ブラシレスファンモーターの回転数制御回路に関するもので、特に電圧切換回路および電圧レベル検出回路を利用してファンモーターの回転数を変換することにより、供給された電源電圧の範囲と所要な回転数により直流ブラシレスモーターの回転数の特性の範囲を決めることができる直流ブラシレスファンモーターの回転数制御回路に係るものである。
【背景技術】
【０００２】
　近年放熱ファンが交換式電源供給器とコンピュータの中央処理器（ＣＰＵ）、メディアカードなどの製品の放熱装置に応用されている。特に、近年放熱ファンの回転数は環境温度の高、低に従って調整することができるものが要求されている。すなわち、高温環境下においては放熱ファンは高回転数で電子素子の熱量を排除して電子素子の正常な運転を確保しなければならず、さらに高温により電子素子を破壊してしまうのを避けなければならない。また、低音環境下においては放熱ファンは回転数を低く抑えてエネルギを節約すると共に、電気およびエアによる騒音を低く抑えなければならない。
【０００３】
　また、図７に示す従来の単相直流ブラシレスファンモーターの駆動回路の回路図において、単相直流ブラシレスファンモーターの駆動回路には巻線コイルＬ１、ホール素子ＩＣ１、駆動素子ＩＣ２およびコンデンサーＣが含まれる。ホール素子ＩＣ１によりローターの永久磁石の磁極変化を検出して微弱なホール電圧を形成させ、それからホール電圧を駆動素子ＩＣ２まで出力させ、そして増幅させて出力タミナル０１および０２から交替に変化する方形波の信号を生成させる。上記信号はモーターの巻線コイルの駆動回路に対して開閉の作動および交替に変化する電流方向を生成させることにより、モーターのローターが回転するように励磁して駆動することができるようにとしたものがある。
【０００４】
　また、図８に示す従来の二相直流ブラシレスファンモーターの駆動回路の回路図において、二相直流ブラシレスファンモーターの駆動回路には第一巻線コイルＬ１、第二巻線コイルＬ２、コンデンサーＣ１、ホール駆動素子ＩＣ３、第一抵抗Ｒ１、第二抵抗Ｒ２およびトランジスタＱ１が含まれる。第一抵抗Ｒ１、第二抵抗Ｒ２およびトランジスタＱ１により回転数の信号検出回路が構成される。ホール駆動素子ＩＣ３によりローターの永久磁石の磁極変化を検出して微弱なホール電圧を形成させ、それからホール電圧をホール駆動素子ＩＣ３の内部を経て増幅させ、出力タミナル０１および０２から交替に変化する方形波の信号を生成させ、上記信号は第一巻線コイルＬ１および第二巻線コイルＬ２において開閉の作動および交替に変化する電流方向を生成させることにより、モーターのローターが回転するように励磁して駆動することができるようにとしたものがある。
【０００５】
　さらに、メーカーが放熱ファンの制御回路を設計する時、通常として二個の異なる電源電圧の状態を利用して放熱ファンの回転数を制御する。例えば、１２Ｖを利用して放熱ファンの電源電圧を供給して回転数を３０００ｒｐｍに制御し、それから６Ｖを利用して放熱ファンの回転数を１５００ｒｐｍに制御し、放熱ファンの回転数の異なりはシステムの異なる放熱目的および騒音量に対応しようとするものである。図９に示す従来の直流ブラシレスファンモーターの回転数と電源電圧との変化の特性を示す図において、二個の特定の高、低電圧の間（例えば１２Ｖから６Ｖまで）に直流ブラシレスファンモーターの回転数と電源電圧との変化の特性は非線性である。システムから電源電圧１２Ｖが入力されると、モーターのステータ構造の回転数は３０００ｒｐｍと設定され、そしてシステムから低電源電圧６Ｖが入力されると、回転数と電源電圧との特性の曲線に基づいて回転数は２０００ｒｐｍに降下される。このように、ファンモーターは１５００ｒｐｍの低回転数まで確実に降下することができず、すなわちシステムが必要とする回転数に符合することができない。
【考案の開示】
【考案が解決しようとする課題】
【０００６】
　上記のような従来の直流ブラシレスファンモーターの回転数制御回路においては、そのファンモーターはステータ構造および非線性の巻線の特性による制限を受け、その回転数の変化の範囲はシステムの要求に答えるために弾性的に調整することができない。ファンモーターが受けた制限を改善するべく、必要とする回転数のモーターの構造を新たに設計して開発しなければならないため、開発設計に必要とするコストが高くなるという問題点があった。
【０００７】
　本考案はこのような問題点に鑑みて考案したものであって、その目的とするところは、電圧切換回路および電圧レベル検出回路を利用してファンモーターの回転数を変換することにより、供給された電源電圧の範囲および必要とする回転数に基づいて直流ブラシレスファンモーターの回転数の特性の範囲を決めることができる直流ブラシレスファンモーターの回転数制御回路を提供しようとするものである。
【０００８】
　本考案の第一の目的は、電圧切換回路および電圧レベル検出回路を利用してファンモーターの回転数の特性の範囲を変換することにより、異なるモーターの回転数を変換することができる直流ブラシレスファンモーターの回転数制御回路を提供しようとするものである。
【０００９】
　本考案の第二の目的は、電圧切換回路を利用して低回転数の特性の範囲を決めることにより、低回転数を弾性的に調整することができる直流ブラシレスファンモーターの回転数制御回路を提供しようとするものである。
【課題を解決するための手段】
【００１０】
　上記目的を達成するために、本考案による直流ブラシレスファンモーターの回転数制御回路は、下記のようになるものである。すなわち、
　電圧切換回路および電圧レベル検出回路により構成される直流ブラシレスファンモーターの回転数制御回路の回転数制御回路である。電圧切換回路は電源電圧をモーター駆動回路の高、低駆動電圧まで出力するのを制御するのに用いられる。電圧レベル検出回路は高、低入力電源電圧に基づいて電圧切換回路が切換して高、低駆動電圧をモーター駆動回路まで出力するのを制御して作動することができる。電圧レベル検出回路は入力電源電圧が高電圧であることを検出した時、電圧切換回路は直接高駆動電圧をモーター駆動回路まで出力することにより、モーターの回転数は高速の状態に形成され、そして電圧レベル検出回路が入力電源電圧は低電圧であることを検出した時、入力電源電圧は電圧切換回路の切換により低駆動電圧をモーター駆動回路まで出力することにより、モーターの回転数は低速の状態に形成される。
【００１１】
　本考案による直流ブラシレスファンモーターの回転数制御回路は、単相直流ブラシレスファンのモーター駆動回路に応用されることもできる。また、回転数制御回路には第一トランジスタ、第一抵抗、レベル抵抗により電圧切換回路が構成され、回転数制御回路には他に第二トランジスタ、第二抵抗、第三抵抗により電圧レベル検出回路が構成され、第二トランジスタが導通された時、第一トランジスタは導通されることにより、電源電圧は第一トランジスタを経て高駆動電圧をモーター駆動回路まで出力されるため、モーターの回転数は高速の状態に形成され、そして第二トランジスタが遮断された時、第一トランジスタは遮断されることにより、電源電圧はレベル抵抗を経て降圧されてから低駆動電圧をモーター駆動回路まで出力されるため、モーターの回転数は高速の状態に形成されることもできる。また、回転数制御回路には第一トランジスタ、第一抵抗および複数個のダイオードにより電圧切換回路が構成され、回転数制御回路には他に第二トランジスタ、第二抵抗、第三抵抗により電圧レベル検出回路が構成され、第二トランジスタが導通された時、第一トランジスタは導通されることにより、電源電圧は第一トランジスタを経て高駆動電圧をモーター駆動回路まで出力されるため、モーターの回転数は高速の状態に形成され、そして第二トランジスタが遮断された時、第一トランジスタは遮断されることにより、電源電圧はダイオードのレベル抵抗を経て降圧されてから低駆動電圧をモーター駆動回路まで出力されるため、モーターの回転数は高速の状態に形成されることもできる。また、第二抵抗と第三抵抗により分圧回路が構成され、電源電圧が予定のレベルまで昇圧された時、第二トランジスタを導通することにより第一トランジスタが導通するのを切り換え、そして電源電圧が予定のレベルまで降圧された時、第二トランジスタを遮断することにより第一トランジスタが遮断するのを切り換えることもできる。また、回転数制御回路は二相直流ブラシレスファンのモーター駆動回路に応用されることもできる。また、回転数制御回路には電圧切換回路としてトランジスタ、レベル抵抗が含まれ、回転数制御回路には他に第二抵抗および第三抵抗により電圧レベル検出回路が構成され、トランジスタが遮断された時、モーター駆動回路のホール駆動素子はレベル抵抗を経て降圧されてから接地するように形成され、モーター駆動回路によりモーターの回転数は低速の状態に形成され、そしてトランジスタが導通された時、ホール駆動素子はトランジスタのコレクターとエミッターを経てから接地するように形成され、モーター駆動回路によりモーターの回転数は高速の状態に形成されることもできる。また、回転数制御回路にはトランジスタおよび複数個のダイオードにより電圧切換回路が構成され、回転数制御回路には他に第二抵抗、第三抵抗により電圧レベル検出回路が構成され、トランジスタが遮断された時、モーター駆動回路のホール駆動素子がレベル抵抗を経て降圧されてから接地するように形成され、モーター駆動回路によりモーターの回転数は低速の状態に形成され、そしてトランジスタが導通された時、ホール駆動素子はトランジスタのコレクターとエミッターを経てから接地するように形成され、モーター駆動回路によりモーターの回転数は高速の状態に形成されることもできる。また、第二抵抗と第三抵抗により分圧回路が構成され、電源電圧が予定のレベルまで昇圧された時、上記分圧回路によりトランジスタは導通されることにより、ホール駆動素子はトランジスタを経て接地するように形成され、そして電源電圧が予定のレベルまで降圧された時、上記分圧回路によりトランジスタは遮断されることにより、ホール駆動素子はレベル抵抗を経て降圧されてから接地するように形成される。
【考案の効果】
【００１２】
　本考案の直流ブラシレスファンモーターの回転数制御回路によれば、電圧切換回路および電圧レベル検出回路を利用してファンモーターの回転数の特性の範囲を変換することにより、異なるモーターの回転数を変換することができるという利点がある。
【００１３】
　本考案の直流ブラシレスファンモーターの回転数制御回路によれば、電圧切換回路を利用して低回転数の特性の範囲を決めることにより、低回転数を弾性的に調整することができるという利点がある。
【考案を実施するための最良の形態】
【００１４】
　本考案の実施の形態について、以下、図面を参照して説明する。
【００１５】
　図１は本考案の実施例の直流ブラシレスファンモーターの回転数制御回路によるブロック図である。図１を参考すると、回転数制御回路１０には電圧切換回路１１および電圧レベル検出回路１２が含まれる。電圧切換回路１１は電源電圧をモーター駆動回路１の高、低駆動電圧まで出力するのを制御するのに用いられる。電圧レベル検出回路１２は高、低入力電源電圧に基づいて電圧切換回路１１が切換して高、低駆動電圧をモーター駆動回路１まで出力するのを制御して作動することができる。
【００１６】
　図２は本考案の実施例の直流ブラシレスファンモーターの回転数制御回路による回転数と電源電圧との変化の特性を示す図である。図１、２を参照すると、システムが高電源電圧１２Ｖを入力した時、モーター驅動回路１まで出力された電源電圧は高レベルの電圧１２Ｖであるため、モーターの回転数は３０００ｒｐｍの高回転数の状態に形成される。そしてシステムが低電源電圧ｘＶを入力した時、電圧切換回路１１を経て直接切換して低レベルの電圧６Ｖをモーター駆動回路１まで出力することにより、モーターの回転数は１５００ｒｐｍまで降下される。
【実施例１】
【００１７】
　図３は本考案の実施例１の直流ブラシレスファンモーターの回転数制御回路が単相直流ブラシレスファンモーターに応用された状態の回路図である。図３を参照すると、本考案の実施例１の単相直流ブラシレスファンモーターの駆動素子は従来の単相直流ブラシレスファンモーターの駆動素子に対応して設置されており、本考案の全実施例と従来のものとの差異を分かり易くするため、両者の同じ素子の部分は同じ符号を採用して標示する。また、実施例１の一部分の技術内容は図５の従来のモーター駆動回路の説明内容に掲示されたため、ここでは参考にして再び詳細に説明しない。
【００１８】
　再び図３を参照すると、実施例１の単相直流ブラシレスファンのモーター駆動回路１は回転数制御回路１０と連接するように形成され、回転数制御回路１０にはトランジスタＱ２、抵抗Ｒ３、抵抗Ｒ４により電圧切換回路１１が構成される。抵抗Ｒ４はレベル抵抗（Ｒｘ）からなる。トランジスタＱ２が遮断された時、電源電圧Ｖｃｃは抵抗Ｒ４を経て降圧されてからモーター駆動回路１まで出力される。
【００１９】
　再び図３を参照すると、回転数制御回路１０には他にトランジスタＱ３、抵抗Ｒ５、抵抗Ｒ６により電圧レベル検出回路１２が構成される。トランジスタＱ３が導通された時、トランジスタＱ２のベースのバイアス電圧の電流は電源電圧Ｖｃｃから抵抗Ｒ３を経てトランジスタＱ３のコレクターとエミッターまで順方向のバイアス電圧の電流に形成されることにより、トランジスタＱ２は導通に形成されるため、電源電圧ＶｃｃはトランジスタＱ２のエミッターとコレクターを経て高駆動電圧をモーター駆動回路１まで出力させる。この時、高駆動電圧はモーター駆動回路１まで出力されることにより、モーターは高回転数の状態に形成される（図２参照）。トランジスタＱ３が遮断された時、トランジスタＱ３のコレクターの電位は高くなることにより、トランジスタＱ２のバイアス電圧の電流は遮断の状態に形成されるため、エミッターとコレクターの間は短絡に形成され、そして電源電圧Ｖｃｃは抵抗Ｒ４を経て降圧されてから低駆動電圧をモーター駆動回路１まで出力させる。この時、低駆動電圧はモーター駆動回路１まで出力されることにより、モーターは低回転数の状態に形成される（図２参照）。
【００２０】
　また、抵抗Ｒ５と抵抗Ｒ６により分圧回路が構成される。電源電圧がｘのレベルまで昇圧された時、上記分圧回路はトランジスタＱ３の順方向導通のレベル（０．６から０．７まで）に達するように形成されるため、トランジスタＱ３の導通を制御することによりトランジスタＱ２の導通を切り換えることができる。それに反して、電源電圧Ｖｃｃがｘのレベルまで降圧された時、上記分圧回路はトランジスタＱ３の順方向導通のレベルより低くなるように形成されるため、トランジスタＱ３の遮断を制御することによりトランジスタＱ２の遮断を切り換えることができる。
【実施例２】
【００２１】
　図４は本考案の実施例２の直流ブラシレスファンモーターの回転数制御回路が二相直流ブラシレスファンモーターに応用された状態の回路図である。図４を参照すると、本考案の実施例２の二相直流ブラシレスファンモーターの駆動回路の一部分は従来の二相直流ブラシレスファンモーターの駆動回路に対応して設置されており、本考案の全実施例と従来のものとの差異を分かり易くするため、両者の同じ素子の部分は同じ符号を採用して標示する。また、実施例２の一部分の技術内容は図６の従来のモーター駆動回路の説明内容に掲示されたため、ここでは参考にして再び詳細に説明しない。
【００２２】
　再び図４を参照すると、実施例２の二相直流ブラシレスファンのモーター駆動回路１は回転数制御回路１０と連接するように形成され、回転数制御回路１０には電圧切換回路１１としてトランジスタＱ２および抵抗Ｒ４が含まれる。抵抗Ｒ４はレベル抵抗（Ｒｘ）からなる。トランジスタＱ２が遮断された時、ホール駆動素子ＩＣ３はレベル抵抗Ｒ４を経て降圧されてから接地するように形成され、モーター駆動回路１によりモーターの回転数は低速の状態に形成される（図２参照）。そしてトランジスタＱ２が導通された時、ホール駆動素子ＩＣ３はトランジスタＱ２のコレクターとエミッターを経てから接地するように形成され、モーター駆動回路１によりモーターの回転数は高速の状態に形成される（図２参照）。
【００２３】
　再び図４を参照すると、回転数制御回路１０には他に抵抗Ｒ５および抵抗Ｒ６により電圧レベル検出回路１２が構成される。抵抗Ｒ５と抵抗Ｒ６により分圧回路が構成され、電源電圧がｘのレベルまで昇圧された時、上記分圧回路はトランジスタＱ２を導通するように形成されるため、ホール駆動素子ＩＣ３はトランジスタＱ２を経て接地するように形成される。それに反して、電源電圧Ｖｃｃがｘのレベルまで降圧された時、上記分圧回路はトランジスタＱ２を遮断するように形成されるため、ホール駆動素子ＩＣ３は抵抗Ｒ４を経て降圧されてから接地するように形成される。
【実施例３】
【００２４】
　図５は本考案の実施例３の直流ブラシレスファンモーターの回転数制御回路が単相直流ブラシレスファンモーターに応用された状態の回路図である。図５を参照すると、本考案の実施例３の単相直流ブラシレスファンモーターの駆動回路の一部分は実施例１の単相直流ブラシレスファンモーターの駆動素子に対応して設置されており、本考案の各実施例の間の差異を分かり易くするため、両者の同じ素子の部分は同じ符号を採用して標示する。また、実施例３の一部分の技術内容は図３のモーター駆動回路の説明内容に掲示されたため、ここでは参考にして再び詳細に説明しない。
【００２５】
　再び図５を参照すると、実施例３の単相直流ブラシレスファンのモーター駆動回路１は回転数制御回路１０と連接するように形成される。実施例１と比べて、実施例３の回転数制御回路１０にはトランジスタＱ２、抵抗Ｒ３および複数個のダイオードＤ１からＤＮにより電圧切換回路１１が構成される。ダイオードＤ１からＤＮはダイオード組を直列して適当なレベル抵抗（Ｒｘ）を提供する。また、実施例３の回転数制御回路１０にも同様にトランジスタＱ３、抵抗Ｒ５、抵抗Ｒ６により電圧レベル検出回路１２が構成される。
【実施例４】
【００２６】
　図６は本考案の実施例４の直流ブラシレスファンモーターの回転数制御回路が二相直流ブラシレスファンモーターに応用された状態の回路図である。図６を参照すると、本考案の実施例４の二相直流ブラシレスファンモーターの駆動回路の一部分は実施例２の二相直流ブラシレスファンモーターの駆動素子に対応して設置されており、本考案の各実施例の間の差異を分かり易くするため、両者の同じ素子の部分は同じ符号を採用して標示する。また、実施例４の一部分の技術内容は図４のモーター駆動回路の説明内容に掲示されたため、ここでは参考にして再び詳細に説明しない。
【００２７】
　再び図６を参照すると、実施例４の二相直流ブラシレスファンのモーター駆動回路１は回転数制御回路１０と連接するように形成される。回転数制御回路１０にはトランジスタＱ２および複数個のダイオードＤ１からＤＮにより電圧切換回路１１が構成される。ダイオードＤ１からＤＮはダイオード組を直列して適当なレベル抵抗（Ｒｘ）を提供する。また、実施例４の回転数制御回路１０にも同様に抵抗Ｒ５、抵抗Ｒ６により電圧レベル検出回路１２が構成される。
【産業上の利用可能性】
【００２８】
　本考案の直流ブラシレスファンモーターの回転数制御回路によれば、電圧切換回路および電圧レベル検出回路を利用してファンモーターの回転数を変換することにより、供給された電源電圧の範囲および必要とする回転数に基づいて直流ブラシレスファンモーターの回転数の特性の範囲を決めることができる。
【００２９】
　本考案は、その精神及び必須の特徴事項から逸脱することなく他のやり方で実施することができる。従って、本明細書に記載した好ましい実施例は例示的なものであり、限定的なものではない。
【図面の簡単な説明】
【００３０】
【図１】本考案の実施例の直流ブラシレスファンモーターの回転数制御回路によるブロック図である。
【図２】本考案の実施例の直流ブラシレスファンモーターの回転数制御回路による回転数と電源電圧との変化の特性を示す図である。
【図３】本考案の実施例１の単相直流ブラシレスファンモーターの回転数制御回路による回路図である。
【図４】本考案の実施例２の二相直流ブラシレスファンモーターの回転数制御駆動回路による回路図である。
【図５】本考案の実施例３の単相直流ブラシレスファンモーターの回転数制御回路による回路図である。
【図６】本考案の実施例４の二相直流ブラシレスファンモーターの回転数制御駆動回路による回路図である。
【図７】従来の単相直流ブラシレスファンモーターの駆動回路の回路図である。
【図８】従来の二相直流ブラシレスファンモーターの駆動回路の回路図である。
【図９】従来の直流ブラシレスファンモーターの回転数と電源電圧との変化の特性を示す図である。
【符号の説明】
【００３１】
　　　ＩＣ１　　ホール素子　　　　　　　　　　ＩＣ２　　ホール素子
　　　ＩＣ３　　ホール駆動素子　　　　　　　　　　Ｌ　　巻線コイル
　　　　　Ｒ　　抵抗　　　　　　　　　　　　　　ＲＸ　　レベル抵抗
　　　　　Ｑ　　トランジスタ　　　　　　　　　　　Ｃ　　コンデンサー
　　　　　Ｄ　　ダイオード　　　　　　　　　　　　１　　モーター駆動回路
　　　　１０　　回転数制御回路　　　　　　　　　１１　　電圧切換回路
　　　　１２　　電圧レベル検出回路
【図１】
0003099650.tif 000003
【図２】
0003099650.tif 000004
【図３】
0003099650.tif 000005
【図４】
0003099650.tif 000006
【図５】
0003099650.tif 000007
【図６】
0003099650.tif 000008
【図７】
0003099650.tif 000009
【図８】
0003099650.tif 000010
【図９】
0003099650.tif 000011